(57)【要約】【課題】表示領域の平坦度を良好に維持でき、見栄えの良いスクリーンを提供する。【解決手段】スクリーン１は、画像が投影されるスクリーン本体２と、スクリーン本体２の下端部に沿って延出し、下端部に取り付けられる支柱４と、スクリーン本体２の上端部に沿って延出し、スクリーン本体の上端部が取り付けられ、回転することでスクリーン本体２を上端部から下端部側まで巻き取る巻取軸３Ｂと、上端部を巻取軸３Ｂに取り付けるための取付部材５とを備えている。巻取軸３Ｂには、内外を貫通し、巻取軸３Ｂの延出方向に沿って延びるスリット３１が形成されている。取付部材５は、スリット３１を介して巻取軸３Ｂ内部に上端部が挿入された状態で上端部を巻取軸３Ｂに取り付けるとともに、上端部の幅寸法を維持する。そして、巻取軸３Ｂは、巻取軸３Ｂからスクリーン本体２が引き出された状態で、スリット３１の開口方向が支柱４に向くように設定されている。【選択図】図３
2011022195.tif 000002
【特許請求の範囲】
【請求項１】
画像が投影されるスクリーン本体と、
前記スクリーン本体の一端に沿って延出し、前記一端に取り付けられる支柱と、
前記スクリーン本体の他端に沿って延出し、前記スクリーン本体の他端が取り付けられ、回転することで前記スクリーン本体を前記他端から前記一端側まで巻き取る巻取軸と、
前記他端を前記巻取軸に取り付けるための取付部材とを備え、
前記巻取軸には、
内外を貫通し、前記巻取軸の延出方向に沿って延びるスリットが形成され、
前記取付部材は、
前記スリットを介して前記巻取軸内部に前記他端が挿入された状態で前記他端を前記巻取軸に取り付けるとともに、前記他端の幅寸法を維持し、
前記巻取軸は、
前記巻取軸から前記スクリーン本体が引き出された状態で、前記スリットの開口方向が前記支柱に向くように設定されている
ことを特徴とするスクリーン。
【請求項２】
請求項１に記載のスクリーンにおいて、
前記取付部材は、
前記巻取軸内部に配設され、前記他端を前記巻取軸に掛止して前記他端が前記スリットを介して前記巻取軸外部に抜けることを防止する一対の掛止体を備え、
前記一対の掛止体は、
前記他端の幅寸法以上の長さ寸法を有するように前記他端に沿って延出し、前記他端の表裏面に取り付けられている
ことを特徴とするスクリーン。
【請求項３】
請求項２に記載のスクリーンにおいて、
前記巻取軸に設けられ、前記一対の掛止体に当接して前記一対の掛止体が前記巻取軸の延出方向に移動することを規制する規制部材を備える
ことを特徴とするスクリーン。
【請求項４】
請求項２または請求項３に記載のスクリーンにおいて、
前記巻取軸内部には、
前記一対の掛止体が掛止される一対の掛止面が形成され、
前記一対の掛止面は、
前記開口方向に直交して延出する平面形状を有している
ことを特徴とするスクリーン。
【請求項５】
請求項４に記載のスクリーンにおいて、
前記巻取軸には、
前記巻取軸内部に向けて突出し、先端に前記掛止面を有する一対の突出部が形成され、
前記掛止体には、
他方の前記掛止体との間で前記一対の突出部を挟持する挟持部が形成されている
ことを特徴とするスクリーン。
【請求項６】
請求項２または請求項３に記載のスクリーンにおいて、
前記巻取軸には、
前記巻取軸内部に向けて突出する一対の突出部が形成され、
前記突出部には、
前記巻取軸内部に向うにしたがって他方の前記突出部に近接するように傾斜し、前記掛止体が掛止される掛止面が形成されている
ことを特徴とするスクリーン。
【請求項７】
請求項１から請求項６のいずれかに記載のスクリーンにおいて、
前記巻取軸には、
前記スリットを構成する側壁のうち、前記巻取軸の巻取方向の上流側に位置する側壁から前記巻取軸の外面にかけて曲面状の面取部が形成されている
ことを特徴とするスクリーン。
【発明の詳細な説明】
【技術分野】
【０００１】
本発明は、スクリーンに関する。
【背景技術】
【０００２】
従来、プロジェクター等から投射された画像が投影されるスクリーン本体を有するスクリーンとして、非使用時にスクリーン本体を巻き取って収納する巻取式スクリーンが広く普及している（例えば、特許文献１参照）。
図９は、従来の巻取式スクリーン１０１の概略構成を模式的に示す図である。具体的に、図９（Ａ）はスクリーン１０１の正面図であり、図９（Ｂ）はスクリーン１０１の側面図である。
巻取式スクリーン１０１は、図９に示すように、スクリーン本体１０２の一端を支柱１０４に取り付け、他端を巻取軸１０３の外面に接着剤や両面テープ等にて貼り付け、巻取軸１０３を回転させることで、スクリーン本体１０２を巻き取る構造とされている。
また、スクリーン１０１は、スクリーン本体１０２を巻取軸１０３から引き出した使用状態では、図９（Ｂ）に示すように、スクリーン本体１０２の他端が巻取軸１０３に１周あるいは２周程度、巻き付けられた状態となっている。
そして、スクリーン本体１０２において、図９中、巻取軸１０３の下端位置Ｄと支柱１０４の上端位置Ｕとの間の領域（以下、表示領域）に画像が投影されることとなる。
【先行技術文献】
【特許文献】
【０００３】
【特許文献１】特開２００７−１４８３４２号公報
【発明の概要】
【発明が解決しようとする課題】
【０００４】
しかしながら、従来の巻取式スクリーン１０１では、使用状態において、表示領域における支柱１０４側の幅寸法Ｌ１と巻取軸１０３側の幅寸法Ｌ２とが異なるものとなり、スクリーン１０１の見栄えが悪いものとなってしまう、という問題がある。
具体的に、スクリーン１０１の使用状態では、表示領域の平坦度を維持するために、支柱１０４と巻取軸１０３とを離間する方向に力を加え、スクリーン本体１０２に対して図９中、上下方向に張力を加えるものである。すなわち、スクリーン本体１０２に加えられた張力により、図９（Ａ）に示すように、前記張力の方向に直交する圧縮応力が発生し、スクリーン本体１０２が糸巻き型に歪みやすい。
ここで、スクリーン１０１の使用状態では上記のように巻取軸１０３にスクリーン本体１０２の他端が１周あるいは２周程度、巻き付けられた状態であるため、スクリーン本体１０２において、巻取軸１０３側の歪み開始位置ＳＰは、図９（Ａ）に示すように、巻取軸１０３の下端位置Ｄよりも上方側に位置することとなる。このため、表示領域において、支柱１０４側の幅寸法Ｌ１よりも巻取軸１０３側の幅寸法Ｌ２が短いものとなる。
【０００５】
また、従来の巻取式スクリーン１０１では、スクリーン本体１０２の他端を巻取軸１０３の外面に貼り付けて固定する際、スクリーン本体１０２をある程度強い力で引っ張りながら行う必要がある。すなわち、巻取軸１０３に貼り付けられているスクリーン本体１０２の他端には、予め圧縮応力が発生している。このため、スクリーン本体１０２において、巻取軸１０３に貼り付けられている部位と、貼り付けられていない部位との応力の差により、スクリーン本体１０２に歪みが発生しやすいものである。
そして、このようにスクリーン本体１０２に歪みが発生しやすい構成では、スクリーン１０１の使用状態において、表示領域の平坦度を良好に維持することができない、という問題がある。
【０００６】
本発明の目的は、表示領域の平坦度を良好に維持でき、見栄えの良いスクリーンを提供することにある。
【課題を解決するための手段】
【０００７】
本発明のスクリーンは、画像が投影されるスクリーン本体と、前記スクリーン本体の一端に沿って延出し、前記一端に取り付けられる支柱と、前記スクリーン本体の他端に沿って延出し、前記スクリーン本体の他端が取り付けられ、回転することで前記スクリーン本体を前記他端から前記一端側まで巻き取る巻取軸と、前記他端を前記巻取軸に取り付けるための取付部材とを備え、前記巻取軸には、内外を貫通し、前記巻取軸の延出方向に沿って延びるスリットが形成され、前記取付部材は、前記スリットを介して前記巻取軸内部に前記他端が挿入された状態で前記他端を前記巻取軸に取り付けるとともに、前記他端の幅寸法を維持し、前記巻取軸は、前記巻取軸から前記スクリーン本体が引き出された状態で、前記スリットの開口方向が前記支柱に向くように設定されていることを特徴とする。
【０００８】
ここで、以下適宜、説明の簡略化のためスクリーン本体の一端を本体一端と略し、スクリーン本体の他端を本体他端と略する。
本発明では、巻取軸は、上述したスリットを有し、巻取軸からスクリーン本体が引き出された状態（使用状態）で、スリットの開口方向が支柱に向くように設定されている。また、スクリーンは、スクリーン本体における他端の幅寸法を維持しつつ、上述したようにスクリーン本体の他端を巻取軸に取り付ける取付部材を備える。
このことにより、スクリーンの使用状態でスクリーン本体が糸巻き型に歪んだ場合であっても、巻取軸側の歪み開始位置を支柱に対向するスリット近傍の位置に設定できる。このため、表示領域において、支柱側の幅寸法と、巻取軸側の幅寸法（スリット近傍の幅寸法）とを略同一に設定でき、見栄えの良いスクリーンとすることができる。
【０００９】
また、スクリーン本体を巻取軸に取り付ける際に、取付部材を用いるため、巻取軸の外面にスクリーン本体を貼り付ける必要がなく、従来のようにスクリーン本体に応力の差が生じることがない。すなわち、スクリーン本体に歪みが発生し難いため、スクリーンの使用状態において、表示領域の平坦度を良好に維持することができる。
【００１０】
本発明のスクリーンでは、前記取付部材は、前記巻取軸内部に配設され、前記他端を前記巻取軸に掛止して前記他端が前記スリットを介して前記巻取軸外部に抜けることを防止する一対の掛止体を備え、前記一対の掛止体は、前記他端の幅寸法以上の長さ寸法を有するように前記他端に沿って延出し、前記他端の表裏面に取り付けられていることが好ましい。
本発明では、本体他端の幅寸法以上の長さ寸法を有する一対の掛止体を本体他端の表裏面に取り付けているため、本体他端の幅寸法の変動を防止できる。また、スクリーンの使用状態において、本体他端が本体一端側に引っ張られても掛止体がスリットの周辺部分に引っ掛かり、本体他端が巻取軸から抜けてしまうことを防止できる。
以上のように、一対の掛止体を本体他端の表裏面に取り付けるだけで、確実に本体他端の幅寸法を維持できるとともに容易に本体他端を巻取軸に取り付けることができる。
【００１１】
本発明のスクリーンでは、前記巻取軸に設けられ、前記一対の掛止体に当接して前記一対の掛止体が前記巻取軸の延出方向に移動することを規制する規制部材を備えることが好ましい。
本発明では、規制部材によって、巻取軸内部において掛止体が巻取軸の延出方向に移動することを規制するため、支柱（スクリーン本体の一端）に対する一対の掛止体（スクリーン本体の他端）の位置関係を所望の位置に位置付けることができる。このため、表示領域に捩れ等の歪みが生じることがなく、表示領域の平坦度を良好に維持できる。
ここで、例えば、巻取軸が円筒形状である場合、巻取軸の両端を塞ぐ蓋体で規制部材を兼用すれば、単純かつ取り扱いに優れた構造とすることができる。
【００１２】
本発明のスクリーンでは、前記巻取軸内部には、前記一対の掛止体が掛止される一対の掛止面が形成され、前記一対の掛止面は、前記開口方向に直交して延出する平面形状を有していることが好ましい。
本発明では、巻取軸内部に形成された一対の掛止面は、スリットの開口方向に直交して延出する平面形状を有している。このことにより、スクリーンの使用状態において、本体他端が本体一端側に引っ張られて掛止体が掛止面を押圧した場合であっても、掛止面には主にスリットの開口方向に沿う方向に力が加えられることとなる。すなわち、スリットを構成する各側壁が離間する方向に加えられる力を低減でき、巻取軸の変形を防止できる。このため、掛止体が巻取軸から外れてしまうこともなく、スクリーンの長寿命化が図れる。
【００１３】
本発明のスクリーンでは、前記巻取軸には、前記巻取軸内部に向けて突出し、先端に前記掛止面を有する一対の突出部が形成され、前記掛止体には、他方の前記掛止体との間で前記一対の突出部を挟持する挟持部が形成されていることが好ましい。
本発明では、掛止体には、他方の掛止体との間で、先端に掛止面がそれぞれ形成された一対の突出部を挟持する挟持部が形成されている。このことにより、スクリーンの使用状態において、本体他端が本体一端側に引っ張られた場合であっても、スリットを構成する各側壁が離間する方向に変形することを各挟持部にて規制し、巻取軸の変形をより確実に防止できる。
【００１４】
本発明のスクリーンでは、前記巻取軸には、前記巻取軸内部に向けて突出する一対の突出部が形成され、前記突出部には、前記巻取軸内部に向うにしたがって他方の前記突出部に近接するように傾斜し、前記掛止体が掛止される掛止面が形成されていることが好ましい。
本発明では、巻取軸内部に形成された一対の突出部には、巻取軸内部に向うにしたがって他方の突出部に近接するように傾斜した掛止面がそれぞれ形成されている。このことにより、スクリーンの使用状態において、本体他端が本体一端側に引っ張られて掛止体が掛止面を押圧した場合に、一対の突出部には主に互いに近接する方向に力が加えられることとなる。すなわち、スリットを構成する各側壁が離間するような巻取軸の変形を防止できる。このため、掛止体が巻取軸から外れてしまうこともなく、スクリーンの長寿命化が図れる。
【００１５】
本発明のスクリーンでは、前記巻取軸には、前記スリットを構成する側壁のうち、前記巻取軸の巻取方向の上流側に位置する側壁から前記巻取軸の外面にかけて曲面状の面取部が形成されていることが好ましい。
ところで、例えば、巻取軸に上述した面取部が形成されていない場合には、巻取軸にてスクリーン本体を巻き取る際、スクリーン本体は、スリットを構成する側壁のうち巻取軸の巻取方向の上流側に位置する側壁の角部分に当接して鋭角に屈曲した後、巻取軸の外面に当接することとなる。
そして、巻取軸にてスクリーン本体を巻き取った収納状態で長期間、放置すると、スクリーン本体において、屈曲した部分に筋状の曲げ癖が跡となって残りやすいものである。このような曲げ癖が残った場合には、スクリーンの使用状態において、曲げ癖が外部から視認されることとなり、スクリーンの品位を低下させてしまう。
本発明では、巻取軸には、上述した曲面状の面取部が形成されている。このことにより、巻取軸にてスクリーン本体を巻き取る際、スクリーン本体は、曲面状の面取部に当接した後、巻取軸の外面に当接することとなる。このため、スクリーン本体が鋭角に屈曲することがなく、すなわち、スクリーン本体に曲げ癖が跡となって残ることがなく、スクリーンの品位を良好に維持できる。
【図面の簡単な説明】
【００１６】
【図１】第１実施形態におけるスクリーンの概略構成を模式的に示す図。
【図２】第１実施形態における巻取軸、取付部材及び規制部材の構成を説明するための図。
【図３】第１実施形態における巻取軸の断面形状を示す図。
【図４】第１実施形態における効果を説明する図。
【図５】第２実施形態における巻取軸の断面形状を示す図。
【図６】第３実施形態における巻取軸の断面形状を示す図。
【図７】第４実施形態における巻取軸の断面形状を示す図。
【図８】第３実施形態の変形例を示す図。
【図９】従来の巻取式スクリーンの概略構成を模式的に示す図。
【発明を実施するための形態】
【００１７】
[第１実施形態]
以下、本発明の第１実施形態を図面に基づいて説明する。
〔スクリーンの概略構成〕
図１は、スクリーン１の概略構成を模式的に示す図である。具体的に、図１は、スクリーン本体２が収納体３から引き出された状態を前面側（被投影面Ｓ）側から見た斜視図である。
スクリーン１は、例えば、プロジェクター等から拡大投射された画像が投影される。このスクリーン１は、巻取式スクリーンで構成され、図１に示すように、スクリーン本体２と、収納体３と、支柱４と、取付部材５（図３参照）と、規制部材６Ａ，６Ｂとを備える。
【００１８】
〔スクリーン本体の構成〕
スクリーン本体２は、可撓性を有するシート状に形成され、入射した画像が投影される。本実施形態では、スクリーン本体２は、入射した画像を反射することで被投影面Ｓ上に投影画像を表示する反射型スクリーンで構成されている。
なお、以下適宜、説明の簡略化のためスクリーン本体２の上端部を本体上端部と略し、スクリーン本体の下端部を本体下端部と略する。
【００１９】
〔収納体の構成〕
収納体３は、スクリーン１全体を支持する部分であり、スクリーン１の非使用時にはスクリーン本体２を収容する。
なお、本実施形態では、収納体３は、スクリーン１を使用する室内において、例えば、天井面や壁面等に設置される。すなわち、本実施形態のスクリーン１は、スクリーン本体２が収納体３から下方に引き出され、吊り下げられた状態で使用される。
そして、上述した収納体３は、図１に示すように、基体３Ａと、巻取軸３Ｂとを備える。
基体３Ａは、左右方向（被投影面Ｓを正面に見た場合での左右方向、以下同様）に延出する略直方体の箱状に形成され、内部に巻取軸３Ｂを回動可能に収納する。
この収納体３において、下方の端面には、具体的な図示は省略したが、スクリーン本体２を内外に進退させるための開口部が形成されている。
【００２０】
巻取軸３Ｂは、図１に示すように、スクリーン本体２における上端部（一端）の左右方向の幅寸法以上の長さ寸法を有するように左右方向に延出する円筒状に形成されている。そして、巻取軸３Ｂは、左右方向を回動軸として回動可能とし、スクリーン本体２の上端部を保持しつつ、スクリーン本体２を本体上端部から本体下端部側（他端側）まで順次、巻き取る。
この巻取軸３Ｂは、具体的な図示は省略したが、スプリングによりスクリーン本体２の巻取方向に付勢され、スクリーン本体２の引き出し力を緩めると自動的にスクリーン本体２を巻き取る機能を有している。
なお、巻取軸３Ｂの詳細な構成については、後述する。
【００２１】
〔支柱の構成〕
支柱４は、図１に示すように、スクリーン本体２における下端部の左右方向の幅寸法以上の長さ寸法を有するように左右方向に延出する円柱状に形成され、スクリーン本体２の下端部に取り付けられる。
そして、支柱４は、スクリーン本体２の下端部を支持するとともに、例えば、収納体３からスクリーン本体２を引き出す際、あるいは、収納体３にスクリーン本体２を収納する際に利用者により把持される。
【００２２】
〔取付部材の構成〕
図２は、巻取軸３Ｂ、取付部材５及び規制部材６Ａ，６Ｂの構成を説明するための図である。具体的に、図２は、取付部材５が取り付けられたスクリーン本体２を巻取軸３Ｂから取り外した状態を前面下方側から見た分解斜視図である。
取付部材５は、図２に示すように、一対の掛止体５Ａ，５Ｂを備える。
なお、一対の掛止体５Ａ，５Ｂは、同一の形状を有しているため、以下では、掛止体５Ａのみを説明する。
掛止体５Ａは、四角柱形状を有し、スクリーン本体２における上端部の左右方向の幅寸法と略同一の長さ寸法を有するように本体上端部に沿って左右方向に延出する。
以上説明した一対の掛止体５Ａ，５Ｂは、スクリーン本体２における上端部の被投影面Ｓ及び裏面Ｒにそれぞれ取り付けられる。すなわち、一対の掛止体５Ａ，５Ｂにより、スクリーン本体２の上端部が幅方向に伸縮することを規制し、スクリーン本体２の上端部の幅寸法を維持している。
そして、一対の掛止体５Ａ，５Ｂは、スクリーン１が組み立てられた状態では、巻取軸３Ｂ内部に配設されることとなる。
【００２３】
〔規制部材の構成〕
規制部材６Ａ，６Ｂは、図２に示すように、巻取軸３Ｂの外径寸法と略同一の外径寸法を有する円柱形状を有し、巻取軸３Ｂの左右両端にそれぞれ取り付けられる蓋体で構成されている。
なお、規制部材６Ａ，６Ｂは、同一の形状を有しているため、以下では、規制部材６Ａのみを説明する。
規制部材６Ａには、図２に示すように、巻取軸３Ｂの内径寸法と略同一の径寸法を有する円柱状の膨出部６１が形成されている。
この膨出部６１は、規制部材６Ａが巻取軸３Ｂの左端に取り付けられた状態で、巻取軸３Ｂ内部に突出する部分である。
【００２４】
〔巻取軸の構成〕
図３は、巻取軸３Ｂの断面形状を示す図である。
巻取軸３Ｂには、図２または図３に示すように、内外を貫通するスリット３１が形成されている。
このスリット３１は、図２に示すように、左右方向に延び、巻取軸３Ｂの左右両端を貫通するように形成されている。
また、スリット３１は、スクリーン本体２の厚み寸法と略同一の幅寸法を有するように形成されている。
【００２５】
そして、スクリーン本体２（取付部材５）の上端部は、例えば、以下に示すように、巻取軸３Ｂに取り付けられる。
すなわち、図２に示すように、巻取軸３Ｂの左端から、スクリーン本体２の右端をスリット３１にあてがいながら巻取軸３Ｂ内部に一対の掛止体５Ａ，５Ｂ（スクリーン本体２の上端部）を挿通する。
この後、規制部材６Ａ，６Ｂを巻取軸３Ｂの左右両端に取り付け、巻取軸３Ｂの左右両端を閉塞する。
【００２６】
以上のようにスクリーン本体２の上端部が巻取軸３Ｂに取り付けられた状態では、スクリーン本体２の上端部を下方側に引っ張っても一対の掛止体５Ａ，５Ｂがスリット３１の周辺部分に引っ掛かるものとなる。すなわち、一対の掛止体５Ａ，５Ｂは、スクリーン本体２の上端部がスリット３１を介して巻取軸３Ｂ外部に抜けてしまうことを防止する機能を有する。
また、上記の状態では、規制部材６Ａ，６Ｂの各膨出部６１は、巻取軸３Ｂ内部に配設された一対の掛止体５Ａ，５Ｂの左右両端に当接する。すなわち、規制部材６Ａ，６Ｂは、巻取軸３Ｂ内部において、スクリーン本体２の上端部（一対の掛止体５Ａ，５Ｂ）が左右方向に移動することを規制する。
【００２７】
なお、巻取軸３Ｂは、図３に示すように、巻取軸３Ｂからスクリーン本体２が引き出された使用状態（巻取軸３Ｂにスクリーン本体２が巻き付けられていない状態）で、スリット３１の開口方向ＳＤが支柱４に向くように設定されている。換言すれば、巻取軸３Ｂは、図３に示すように、巻取軸３Ｂの中心軸と支柱４とを結んだ直線上にスリット３１が位置するように設定されている。
すなわち、スクリーン本体２の上端部は、使用状態において、巻取軸３Ｂにおける支柱４に最も近い位置に位置付けられることになる。
【００２８】
上述した第１実施形態によれば、以下の効果がある。
本実施形態では、巻取軸３Ｂは、スリット３１を有し、使用状態で、スリット３１の開口方向ＳＤが支柱４に向くように設定されている。また、スクリーン１は、スクリーン本体２における上端部の幅寸法を維持しつつ、スクリーン本体２の上端部を巻取軸３Ｂに取り付ける取付部材５を備える。
このことにより、スクリーン１の使用状態でスクリーン本体２が糸巻き型に歪んだ場合であっても、巻取軸３Ｂ側の歪み開始位置を支柱４に対向するスリット３１近傍の位置に設定できる。このため、図４に示すように、スクリーン本体２における画像が投影される表示領域（巻取軸３Ｂの下端位置Ｄと支柱４の上端位置Ｕとの間の領域）において、支柱４側の幅寸法Ｌ３と、巻取軸３Ｂ側の幅寸法Ｌ４（スリット３１近傍の幅寸法）とを略同一に設定でき、見栄えの良いスクリーン１とすることができる。
【００２９】
また、スクリーン本体２を巻取軸３Ｂに取り付ける際に、取付部材５を用いるため、巻取軸３Ｂの外面にスクリーン本体２を貼り付ける必要がなく、従来のようにスクリーン本体２に応力の差が生じることがない。すなわち、スクリーン本体２に歪みが発生し難いため、スクリーン１の使用状態において、表示領域の平坦度を良好に維持することができる。
このように、歪みが発生し難く、表示領域の平坦度が良好に維持されるため、スクリーン本体２を巻取軸３Ｂに巻き取る際にも、スクリーン本体２にシワが発生することがない。すなわち、スクリーン本体２を長期間、巻き取った状態で放置しても、シワが跡となって残ることがなく、スクリーン１の品位を良好に維持できる。
【００３０】
さらに、本実施形態では、本体上端部の幅寸法と略同一の長さ寸法を有する一対の掛止体５Ａ，５Ｂを本体上端部の表裏面に取り付けているため、本体上端部の幅寸法の変動を防止できる。また、スクリーン１の使用状態において、本体上端部が下方に引っ張られても掛止体５Ａ，５Ｂがスリット３１の周辺部分に引っ掛かり、本体上端部が巻取軸３Ｂから抜けてしまうことを防止できる。
以上のように、一対の掛止体５Ａ，５Ｂを本体上端部の表裏面に取り付けるだけで、確実に本体上端部の幅寸法を維持できるとともに容易に本体上端部を巻取軸３Ｂに取り付けることができる。
【００３１】
また、本実施形態では、規制部材６Ａ，６Ｂによって、巻取軸３Ｂ内部において掛止体５Ａ，５Ｂが左右方向に移動することを規制するため、支柱４（スクリーン本体２の下端部）に対する一対の掛止体５Ａ，５Ｂ（スクリーン本体２の上端部）の位置関係を所望の位置に位置付けることができる。このため、表示領域に捩れ等の歪みが生じることがなく、表示領域の平坦度を良好に維持できる。
巻取軸３Ｂが円筒形状であるため、巻取軸３Ｂの両端を塞ぐ蓋体で規制部材６Ａ，６Ｂを兼用しているため、単純かつ取り扱いに優れた構造とすることができる。
【００３２】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図５は、第２実施形態における巻取軸３Ｂの断面形状を示す図である。具体的に、図５（Ａ）はスクリーン本体２が引き出された状態を示し、図５（Ｂ）はスクリーン本体２が巻取軸３Ｂに巻き取られている状態を示している。
第２実施形態では、図５に示すように、巻取軸３Ｂの構造が前記第１実施形態と異なっている。それ以外の点については、前記第１実施形態と同様である。
【００３３】
具体的に、第２実施形態における巻取軸３Ｂには、図５に示すように、スリット３１の周辺部分からスリット３１の開口方向ＳＤに沿って巻取軸３Ｂ内部に向けて突出する一対の突出部３２Ａ，３２Ｂが形成されている。
一対の突出部３２Ａ，３２Ｂの先端部分には、図５に示すように、スリット３１の開口方向ＳＤに直交して延出する平面形状を有し、掛止体５Ａ，５Ｂが当接する掛止面３３Ａ，３３Ｂがそれぞれ形成されている。
これら掛止面３３Ａ，３３Ｂは、スクリーン本体２の上端部が巻取軸３Ｂ外部に抜けないように、一対の掛止体５Ａ，５Ｂがそれぞれ掛止される部分である。
【００３４】
また、この巻取軸３Bには、図５に示すように、スリット３１を構成する側壁３４Ａ，３４Ｂのうち、巻取軸３Ｂの巻取方向Ｒｒの上流側に位置する側壁３４Ａから巻取軸３Ｂの外面にかけて曲面状の面取部３５が形成されている。
さらに、巻取軸３Ｂは、面取部３５が形成されていることで、スクリーン本体２の巻き始めの部分が少なくともスクリーン本体２の厚みの分だけ窪んでいる。したがって、図５（Ｂ）に示すように、巻取軸３Ｂに巻き取ったスクリーン本体２が、面取部３５上でシワにならない構造を有している。
【００３５】
上述した第２実施形態によれば、以下の効果がある。
本実施形態では、巻取軸３Ｂ内部に形成された一対の掛止面３３Ａ，３３Ｂは、スリット３１の開口方向ＳＤに直交して延出する平面形状を有している。このことにより、スクリーン１の使用状態において、本体上端部が下方に引っ張られて掛止体５Ａ，５Ｂが掛止面３３Ａ，３３Ｂを押圧した場合であっても、掛止面３３Ａ，３３Ｂには主にスリット３１の開口方向ＳＤに沿う方向に力が加えられることとなる。すなわち、スリット３１を構成する各側壁３４Ａ，３４Ｂが離間する方向に加えられる力を低減でき、巻取軸３Ｂの変形を防止できる。このため、掛止体５Ａ，５Ｂが巻取軸３Ｂから外れてしまうこともなく、スクリーン１の長寿命化が図れる。
【００３６】
また、本実施形態では、巻取軸３Ｂには、曲面状の面取部３５が形成されている。このことにより、巻取軸３Ｂにてスクリーン本体２を巻き取る際、スクリーン本体２は、面取部３５に当接した後、巻取軸３Ｂの外面に当接することとなる。このため、スクリーン本体２が鋭角に屈曲することがなく、すなわち、スクリーン本体２に曲げ癖が跡となって残ることがなく、スクリーン１の品位を良好に維持できる。
【００３７】
ところで、巻取軸３Ｂに面取部３５が形成されていない場合、巻取軸３Ｂにスクリーン本体２を巻いていくと、スクリーン本体２の巻き付け開始位置にスクリーン本体２の厚さ分の段差が発生してしまう。この状態でスクリーン本体２を巻き続けると、この段差と重なる位置においてスクリーン本体２にシワが生じてしまう。
しかしながら、本実施形態では、巻取軸３Ｂに面取部３５が形成されており、スクリーン本体２の巻き始めの部分が少なくともスクリーン本体２の厚みの分だけ窪んでいる。これにより、このような巻き付け開始位置の段差は、この窪みで解消されるため、巻取軸３Ｂに巻き取ったスクリーン本体２にシワが生じることなく、スクリーン１の品位を良好に維持できる。
【００３８】
[第３実施形態]
次に、本発明の第３実施形態を図面に基づいて説明する。
以下の説明では、前記第１実施形態及び前記第２実施形態と同様の構造及び同一部材には同一符号を付して、その詳細な説明は省略または簡略化する。
図６は、第３実施形態における巻取軸３Ｂ及び一対の掛止体５Ａ，５Ｂの断面形状を示す図である。
第３実施形態では、図６に示すように、巻取軸３Ｂ及び一対の掛止体５Ａ，５Ｂの構造が前記第１実施形態及び前記第２実施形態と異なっている。それ以外の点については、前記第１実施形態及び前記第２実施形態と同様である。
【００３９】
具体的に、第３実施形態における巻取軸３Ｂには、図６に示すように、前記第２実施形態で説明した一対の突出部３２Ａ，３２Ｂ（各掛止面３３Ａ，３３Ｂを含む）が形成されている。
また、第３実施形態における一対の掛止体５Ａ，５Ｂは、図６に示すように、下方側に突出する挟持部５１Ａ，５１Ｂをそれぞれ有し、断面Ｌ字形状を有する。
これら挟持部５１Ａ，５１Ｂは、図６に示すように、一対の掛止体５Ａ，５Ｂが各掛止面３３Ａ，３３Ｂに掛止された状態で、他方の挟持部との間で、スリット３１の開口方向ＳＤに直交する方向から一対の突出部３２Ａ，３２Ｂを挟持する部分である。
【００４０】
上述した第３実施形態によれば、以下の効果がある。
本実施形態では、掛止体５Ａ，５Ｂには、他方の掛止体５Ａ，５Ｂとの間で、先端に掛止面３３Ａ，３３Ｂがそれぞれ形成された一対の突出部３２Ａ，３２Ｂを挟持する挟持部５１Ａ，５１Ｂが形成されている。このことにより、スクリーン１の使用状態において、本体上端部が下方に引っ張られた場合であっても、スリット３１を構成する各側壁３４Ａ，３４Ｂが離間する方向に変形することを各挟持部５１Ａ，５１Ｂにて規制し、巻取軸３Ｂの変形をより確実に防止できる。
【００４１】
[第４実施形態]
次に、本発明の第４実施形態を図面に基づいて説明する。
以下の説明では、前記第１実施形態及び前記第２実施形態と同様の構造及び同一部材には同一符号を付して、その詳細な説明は省略または簡略化する。
図７は、第４実施形態における巻取軸３Ｂの断面形状を示す図である。
第４実施形態では、図７に示すように、巻取軸３Ｂ及び一対の掛止体５Ａ，５Ｂの構造が前記第１実施形態及び前記第２実施形態と異なっている。それ以外の点については、前記第１実施形態及び前記第２実施形態と同様である。
【００４２】
具体的に、第４実施形態における巻取軸３Ｂには、図７に示すように、スリット３１の周辺部分からスリット３１の開口方向ＳＤに沿って巻取軸３Ｂ内部に向けて突出する一対の突出部３２Ａ，３２Ｂが形成されている。
一対の突出部３２Ａ，３２Ｂは、図７に示すように、巻取軸３Ｂ内部に向うにしたがって断面積が次第に小さくなるように形成されている。
より具体的に、一対の突出部３２Ａ，３２Ｂには、図７に示すように、巻取軸３Ｂ内部に向うにしたがって他方の突出部３２Ａ，３２Ｂに近接するように傾斜した掛止面３３Ａ，３３Ｂがそれぞれ形成されている。
【００４３】
また、第４実施形態における一対の掛止体５Ａ，５Ｂは、一対の掛止面３６Ａ，３６Ｂに対して面で当接するように、下方側に向うにしたがって互いに離間するように傾斜した傾斜面５２Ａ，５２Ｂが形成されている。
【００４４】
上述した第４実施形態によれば、以下の効果がある。
本実施形態では、巻取軸３Ｂ内部に形成された一対の突出部３２Ａ，３２Ｂには、巻取軸３Ｂ内部に向うにしたがって他方の突出部３２Ａ，３２Ｂに近接するように傾斜した掛止面３６Ａ，３６Ｂがそれぞれ形成されている。このことにより、スクリーン１の使用状態において、本体上端部が下方に引っ張られて掛止体５Ａ，５Ｂが掛止面３６Ａ，３６Ｂを押圧した場合に、一対の突出部３２Ａ，３２Ｂには主に互いに近接する方向に力が加えられることとなる。すなわち、スリット３１を構成する各側壁３４Ａ，３４Ｂが離間するような巻取軸３Ｂの変形を防止できる。このため、掛止体５Ａ，５Ｂが巻取軸３Ｂから外れてしまうこともなく、スクリーン１の長寿命化が図れる。
【００４５】
なお、本発明は前述の実施形態に限定されるものではなく、本発明の目的を達成できる範囲での変形、改良等は本発明に含まれるものである。
図８は、第３実施形態の変形例を示す図である。
前記第３実施形態において、巻取軸３Ｂに形成された一対の突出部３２Ａ，３２Ｂを以下に示すように形成しても構わない。
すなわち、一対の突出部３２Ａ，３２Ｂにおいて、各掛止面３３Ａ，３３Ｂには、図８に示すように、挟持部５１Ａ，５１Ｂの形状に対応して凹状に窪む凹部３７Ａ，３７Ｂを形成する。
そして、一対の挟持部５１Ａ，５１Ｂは、図８に示すように、一対の掛止体５Ａ，５Ｂが各掛止面３３Ａ，３３Ｂに掛止された状態で、各凹部３７Ａ，３７Ｂにそれぞれ嵌合する。
上記のような構成とすれば、掛止体５Ａ，５Ｂの挟持部５１Ａ，５１Ｂが突出部３２Ａ，３２Ｂの掛止面３３Ａ，３３Ｂの各凹部３７Ａ，３７Ｂにそれぞれ嵌合する。このことにより、スクリーン１の使用状態において、本体上端部が下方に引っ張られて掛止体５Ａ，５Ｂが掛止面３６Ａ，３６Ｂ押圧した場合であっても、各掛止体５Ａ，５Ｂが互いに離間する方向に移動することを各凹部３７Ａ，３７Ｂにて規制できる。すなわち、スクリーン本体２の上端部から各掛止体５Ａ，５Ｂが外れてしまうことを防止でき、スクリーン１の長寿命化が図れる。
【００４６】
また、規制部材６Ａ，６Ｂは、前記第１実施形態のように巻取軸３Ｂの左右両端に設けることに限らず、一端のみに設ける構造であってもよい。また、巻取軸３Ｂの蓋体で構成することに限らず、蓋体とは別体で構成してもよい。
【００４７】
さらに、掛止体５Ａ，５Ｂの形状も前記各実施形態で説明した形状に限ったものではない。
例えば、前記第１実施形態では、掛止体５Ａ，５Ｂをスクリーン本体２の上端部と略同じ長さとしたが、スクリーン本体２の上端部の幅寸法を維持できればよいため、スクリーン本体２の上端部の幅寸法以上の長さ寸法を有していればよい。
また、スクリーン本体２の上端部の長さ寸法を維持でき、スクリーン本体２が巻取軸３Ｂから抜けない構造であればよいため、掛止体５Ａ，５Ｂをスクリーン本体２の上端部両側にのみ取り付け、この両側の掛止体５Ａ，５Ｂを巻取軸３Ｂの両端で固定するように構成してもよい。
さらに、前記各実施形態では、取付部材５が一対の掛止体５Ａ，５Ｂを有する構成としたが、これに限らず、各実施形態において、掛止体５Ａ，５Ｂのどちらか一方の掛止体を取付部材５が有する構成であってもよい。これによって、取付部材５の構成部材の数を減らして前記各実施形態と同様の効果を実現することができる。
また、掛止体５Ａ，５Ｂを用いず、接着剤、両面テープ等の貼り付け部材で巻取軸３Ｂの内部にスクリーン本体２の上端部を貼り付け固定してもよい。この場合も、少なくとも、スクリーン本体２の上端部の両側を固定すれば、前記各実施形態と同様の効果を得ることができる。
さらに、前記各実施形態では、スクリーン本体２を吊り下げて使用するスクリーンについて説明したが、これに限ったものではない。例えば、巻取軸３Ｂを床面等に設置してスクリーン本体２を引き上げて使用するもの、巻取軸３Ｂを立てて設置してスクリーン本体２を横にスライドして使用するもの等、いずれの設置方法でも適用することができる。
【産業上の利用可能性】
【００４８】
本発明のスクリーンは、プロジェクター等から投射された画像が投影されるスクリーンとして利用できる。
【符号の説明】
【００４９】
１・・・スクリーン、２・・・スクリーン本体、３Ｂ・・・巻取軸、４・・・支柱、５・・・取付部材、５Ａ，５Ｂ・・・掛止体、６Ａ，６Ｂ・・・規制部材、３１・・・スリット、３２Ａ，３２Ｂ・・・突出部、３３Ａ，３３Ｂ，３６Ａ，３６Ｂ・・・掛止面、３４Ａ，３４Ｂ・・・側壁、３５・・・面取部、３７Ａ，３７Ｂ・・・凹部、５１Ａ，５１Ｂ・・・挟持部、５２Ａ，５２Ｂ・・・傾斜面。
【図１】
2011022195.tif 000003
【図２】
2011022195.tif 000004
【図３】
2011022195.tif 000005
【図４】
2011022195.tif 000006
【図５】
2011022195.tif 000007
【図６】
2011022195.tif 000008
【図７】
2011022195.tif 000009
【図８】
2011022195.tif 000010
【図９】
2011022195.tif 000011